(57)【特許請求の範囲】
【請求項１】
それぞれが一部重なるように地図上に設定された、前記地図上の所定の範囲を示す複数の領域をそれぞれ一意に特定するための領域特定情報と、前記領域特定情報に関連付けられる関連情報とで構成されるデータセットを設定するデータセット設定手順と、
前記データセット設定手順で設定した前記データセットに対して、前記領域特定情報と前記関連情報との組に対応するデータを記録するデータ記録手順と、
前記データ記録手順で記録した前記データに対して、前記領域の面積に応じた重み値を設定する重み値設定手順とをコンピュータに実行させるためのデータ記録方法。
【請求項２】
請求項１に記載のデータ記録方法において、
前記重み値設定手順は、前記領域の面積を変数とした関数を用いて前記重み値を算出して前記データに対して設定することを特徴とするデータ記録方法。
【請求項３】
請求項１または２に記載のデータ記録方法において、
前記重み値設定手順は、地図上に設定された異なる領域を対象として設定されたデータセットに対して、同じデータが記録されている場合には、それらのデータセットに対応する領域の面積を合計し、それらのデータセットに記録されている前記データに対して、合計後の面積に応じた重み値を設定することを特徴とするデータ記録方法。
【請求項４】
請求項１〜３のいずれか一項に記載のデータ記録方法において、
前記データセット設定手順は、前記領域特定情報と、少なくとも１つの関連情報とを関連付けて前記データセットを設定することを特徴とするデータ記録方法。
【請求項５】
請求項１〜４のいずれか一項に記載のデータ記録方法において、
前記データセット設定手順は、前記データへのアクセスを許可するユーザ、または前記データへのアクセスを許可する端末を特定するための特定情報を前記関連情報として記録することを特徴とするデータ記録方法。
【請求項６】
請求項５に記載のデータ記録方法において
前記データ記録手順は、前記特定情報と前記領域特定情報との組に対して、前記特定情報により特定されるユーザまたは端末が、前記領域特定情報により特定される地図上の所定範囲内にいるときに、前記ユーザまたは前記端末に対して提供する情報を特定するための提供情報を記録することを特徴とするデータ記録方法。
【請求項７】
それぞれが一部重なるように地図上に設定された、前記地図上の所定の範囲を示す複数の領域をそれぞれ一意に特定するための領域特定情報と、前記領域特定情報に関連付けられる関連情報とで構成されるデータセットに対して、前記領域特定情報と前記関連情報との組に対応するデータが記録装置に記録されているときに、前記データセットに対して記録されたデータを検索するためのデータ検索方法であって、
検索要求端末から、前記検索要求端末の現在位置情報と、前記関連情報とを受信して、前記データの検索要求を受け付ける検索要求受付手順と、
前記検索要求受付手順が受信した前記現在位置情報に基づいて、前記検索要求端末の現在位置が属する前記領域の前記領域特定情報を特定する領域特定情報特定手順と、
前記検索要求端末の現在位置が複数の領域が重なる地点であることにより、前記領域特定情報特定手順で複数の前記領域特定情報が特定された場合には、それら複数の前記領域特定情報のそれぞれと、前記検索要求受付手順が受信した前記関連情報とで構成される複数の前記データセットに対してそれぞれ記録されているデータの中から、設定されている重み値が最も大きいデータを前記記録装置から読み出すデータ読み出し手順と、
前記データ読み出し手順で読み出した前記データに応じた配信用情報を前記検索要求端末へ送信するデータ送信手順とをコンピュータに実行させるためのデータ検索方法。
【請求項８】
それぞれが一部重なるように地図上に設定された、前記地図上の所定の範囲を示す複数の領域をそれぞれ一意に特定するための領域特定情報と、前記領域特定情報に関連付けられる関連情報とで構成されるデータセットを設定するデータセット設定手段と、
前記データセット設定手段によって設定された前記データセットに対して、前記領域特定情報と前記関連情報との組に対応するデータを記録するデータ記録手段と、
前記データ記録手段によって記録された前記データに対して、前記領域の面積に応じた重み値を設定する重み値設定手段とを備えることを特徴とするデータ記録装置。
【請求項９】
請求項８に記載のデータ記録装置において、
前記重み値設定手段は、前記領域の面積を変数とした関数を用いて前記重み値を算出して前記データに対して設定することを特徴とするデータ記録装置。
【請求項１０】
請求項８または９に記載のデータ記録装置において、
前記重み値設定手段は、地図上に設定された異なる領域を対象として設定されたデータセットに対して、同じデータが記録されている場合には、それらのデータセットに対応する領域の面積を合計し、それらのデータセットに記録されている前記データに対して、合計後の面積に応じた重み値を設定することを特徴とするデータ記録装置。
【請求項１１】
請求項８〜１０のいずれか一項に記載のデータ記録装置において、
前記データセット設定手段は、前記領域特定情報と、少なくとも１つの関連情報とを関連付けて前記データセットを設定することを特徴とするデータ記録装置。
【請求項１２】
請求項８〜１１のいずれか一項に記載のデータ記録装置において、
前記データセット設定手段は、前記データへのアクセスを許可するユーザ、または前記データへのアクセスを許可する端末を特定するための特定情報を前記関連情報として記録することを特徴とするデータ記録装置。
【請求項１３】
請求項１２に記載のデータ記録装置において
前記データ記録手段は、前記特定情報と前記領域特定情報との組に対して、前記特定情報により特定されるユーザまたは端末が、前記領域特定情報により特定される地図上の所定範囲内にいるときに、前記ユーザまたは前記端末に対して提供する情報を特定するための提供情報を記録することを特徴とするデータ記録装置。
【請求項１４】
それぞれが一部重なるように地図上に設定された、前記地図上の所定の範囲を示す複数の領域をそれぞれ一意に特定するための領域特定情報と、前記領域特定情報に関連付けられる関連情報とで構成されるデータセットに対して、前記領域特定情報と前記関連情報との組に対応するデータが記録装置に記録されているときに、前記データセットに対して記録されたデータを検索するためのデータ検索装置であって、
検索要求端末から、前記検索要求端末の現在位置情報と、前記関連情報とを受信して、前記データの検索要求を受け付ける検索要求受付手段と、
前記検索要求受付手段によって受信された前記現在位置情報に基づいて、前記検索要求端末の現在位置が属する前記領域の前記領域特定情報を特定する領域特定情報特定手段と、
前記検索要求端末の現在位置が複数の領域が重なる地点であることにより、前記領域特定情報特定手順で複数の前記領域特定情報が特定された場合には、前記領域特定情報特定手段によって特定された複数の前記領域特定情報のそれぞれと、前記検索要求受付手段によって受信された前記関連情報とで構成される複数の前記データセットに対してそれぞれ記録されているデータの中から、設定されている重み値が最も大きいデータを前記記録装置から読み出すデータ読み出し手段と、
前記データ読み出し手段によって読み出された前記データに応じた配信用情報を前記検索要求端末へ送信するデータ送信手段とを備えることを特徴とするデータ検索装置。
【発明の詳細な説明】
【技術分野】
【０００１】
本発明は、データ記録方法、データ検索方法、データ記録装置、およびデータ検索装置に関する。
【背景技術】
【０００２】
データベース管理システムで管理されたリアルタイムで多次元に絡み合ったデータを解析するのに有効な手法の一つにＯＬＡＰ（Ｏｎｌｉｎｅ  Ａｎａｌｙｔｉｃａｌ  Ｐｒｏｃｅｓｓｉｎｇ）がある。このＯＬＡＰは、通常、運用サーバーに多額な投資が必要で、かつ高額なソフトウェアのライセンス料とスタッフのトレーニング費が必要となるなど、非常にコスト高で複雑なソリューションであるという問題があった。また、データベース管理システムを利用しないデータ管理システムは、例えば特許文献１に開示されている。このデータ管理システムでは、キーと値の組を複数記憶し、その集合に対してキーを指定した連想アクセスを可能にするデータ操作モジュールとしてＫｅｙ−Ｖａｌｕｅモジュールを用い、Ｋｅｙ−Ｖａｌｕｅモジュールは、キーと値の組の集合をＸＭＬドキュメントとして管理するようにしている。
【先行技術文献】
【特許文献】
【０００３】
【特許文献１】特開２００１−１０１０４２号公報
【発明の概要】
【発明が解決しようとする課題】
【０００４】
しかしながら、従来のデータ管理システムでは、地図上に設定された領域と対応付けてデータを記録する方法については、何ら想定されていなかった。
【課題を解決するための手段】
【０００５】
本発明によるデータ記録方法は、それぞれが一部重なるように地図上に設定された、地図上の所定の範囲を示す複数の領域をそれぞれ一意に特定するための領域特定情報と、領域特定情報に関連付けられる関連情報とで構成されるデータセットを設定するデータセット設定手順と、データセット設定手順で設定した前記データセットに対して、領域特定情報と関連情報との組に対応するデータを記録するデータ記録手順と、データ記録手順で記録したデータに対して、領域の面積に応じた重み値を設定する重み値設定手順とをコンピュータに実行させるための方法である。
本発明では、重み値設定手順は、領域の面積を変数とした関数を用いて重み値を算出してデータに対して設定するようにしてもよい。
重み値設定手順は、地図上に設定された異なる領域を対象として設定されたデータセットに対して、同じデータが記録されている場合には、それらのデータセットに対応する領域の面積を合計し、それらのデータセットに記録されているデータに対して、合計後の面積に応じた重み値を設定するようにしてもよい。
データセット設定手順は、領域特定情報と、少なくとも１つの関連情報とを関連付けて前記データセットを設定するようにしてもよい。
データセット設定手順は、データへのアクセスを許可するユーザ、またはデータへのアクセスを許可する端末を特定するための特定情報を関連情報として記録するようにしてもよい。
データ記録手順は、特定情報と領域特定情報との組に対して、特定情報により特定されるユーザまたは端末が、領域特定情報により特定される地図上の所定範囲内にいるときに、ユーザまたは端末に対して提供する情報を特定するための提供情報を記録するようにしてもよい。
本発明によるデータ検索方法は、それぞれが一部重なるように地図上に設定された、地図上の所定の範囲を示す複数の領域をそれぞれ一意に特定するための領域特定情報と、領域特定情報に関連付けられる関連情報とで構成されるデータセットに対して、領域特定情報と関連情報との組に対応するデータが記録装置に記録されているときに、データセットに対して記録されたデータを検索するためのデータ検索方法であって、検索要求端末から、検索要求端末の現在位置情報と、関連情報とを受信して、データの検索要求を受け付ける検索要求受付手順と、検索要求受付手順が受信した現在位置情報に基づいて、検索要求端末の現在位置が属する領域の領域特定情報を特定する領域特定情報特定手順と、検索要求端末の現在位置が複数の領域が重なる地点であることにより、領域特定情報特定手順で複数の領域特定情報が特定された場合には、それら複数の領域特定情報のそれぞれと、検索要求受付手順が受信した関連情報とで構成される複数のデータセットに対してそれぞれ記録されているデータの中から、設定されている重み値が最も大きいデータを記録装置から読み出すデータ読み出し手順と、データ読み出し手順で読み出したデータに応じた配信用情報を検索要求端末へ送信するデータ送信手順とをコンピュータに実行させるための方法である。
本発明によるデータ記録装置は、それぞれが一部重なるように地図上に設定された、地図上の所定の範囲を示す複数の領域をそれぞれ一意に特定するための領域特定情報と、領域特定情報に関連付けられる関連情報とで構成されるデータセットを設定するデータセット設定手段と、データセット設定手段によって設定された前記データセットに対して、領域特定情報と関連情報との組に対応するデータを記録するデータ記録手段と、データ記録手段によって記録されたデータに対して、領域の面積に応じた重み値を設定する重み値設定手段とを備えることを特徴とする。
本発明では、重み値設定手段は、領域の面積を変数とした関数を用いて重み値を算出してデータに対して設定するようにしてもよい。
重み値設定手段は、地図上に設定された異なる領域を対象として設定されたデータセットに対して、同じデータが記録されている場合には、それらのデータセットに対応する領域の面積を合計し、それらのデータセットに記録されているデータに対して、合計後の面積に応じた重み値を設定するようにしてもよい。
データセット設定手段は、データへのアクセスを許可するユーザ、またはデータへのアクセスを許可する端末を特定するための特定情報を関連情報として記録するようにしてもよい。
データセット設定手段は、データへのアクセスを許可するユーザを特定するためのユーザ情報を関連情報として記録するようにしてもよい。
データ記録手段は、特定情報と領域特定情報との組に対して、特定情報により特定されるユーザまたは端末が、領域特定情報により特定される地図上の所定範囲内にいるときに、ユーザまたは端末に対して提供する情報を特定するための提供情報を記録するようにしてもよい。
本発明によるデータ検索装置は、それぞれが一部重なるように地図上に設定された、前記地図上の所定の範囲を示す複数の領域をそれぞれ一意に特定するための領域特定情報と、領域特定情報に関連付けられる関連情報とで構成されるデータセットに対して、領域特定情報と関連情報との組に対応するデータが記録装置に記録されているときに、データセットに対して記録されたデータを検索するためのデータ検索装置であって、検索要求端末から、検索要求端末の現在位置情報と、関連情報とを受信して、データの検索要求を受け付ける検索要求受付手段と、検索要求受付手段によって受信された現在位置情報に基づいて、検索要求端末の現在位置が属する領域の領域特定情報を特定する領域特定情報特定手段と、検索要求端末の現在位置が複数の領域が重なる地点であることにより、領域特定情報特定手順で複数の領域特定情報が特定された場合には、領域特定情報特定手段によって特定された複数の領域特定情報のそれぞれと、検索要求受付手段によって受信された関連情報とで構成される複数のデータセットに対してそれぞれ記録されているデータの中から、設定されている重み値が最も大きいデータを記録装置から読み出すデータ読み出し手段と、データ読み出し手段によって読み出されたデータを検索要求端末へ送信するデータ送信手段とを備えることを特徴とする。
【発明の効果】
【０００６】
本発明によれば、地図上に設定された所定の範囲を示す複数の領域をそれぞれ一意に特定するための領域特定情報と、領域特定情報に関連付けられる関連情報とで構成されるデータセットに対して、領域特定情報と関連情報との組に対応する複数のデータを記録しておき、複数のデータのそれぞれに対して領域の面積に応じた重み値を設定することにより、各データに対して領域の面積に基づく重み付けを行うことができる。
【図面の簡単な説明】
【０００７】
【図１】データ処理装置の一実施の形態の構成を示すブロック図である。
【図２】地図上への領域の設定例を示す図である。
【図３】データセット記録処理の流れを示すフローチャート図である。
【図４】データ検索処理の流れを示すフローチャート図である。
【図５】重み付け関数の一例を示す図である。
【発明を実施するための形態】
【０００８】
図１は、本実施の形態におけるデータ処理装置の一実施の形態の構成を示すブロック図である。データ処理装置１００としては、例えば、パーソナルコンピュータ（パソコン）やサーバー等の装置が用いられる。このデータ処理装置１００は、操作部材１０１と、接続ＩＦ１０２と、制御装置１０３と、記録装置１０４と、表示装置１０５とを備えている。
【０００９】
操作部材１０１は、データ処理装置１００の操作者によって操作される種々の装置、例えばキーボードやマウスを含む。
【００１０】
接続ＩＦ１０２は、データ処理装置１００をＬＡＮやインターネット等の通信回線に接続するためのインターフェースであり、例えば、通信回線に有線で接続するための有線通信モジュールや、通信回線に無線で接続するための無線通信ジュールなどが用いられる。
【００１１】
制御装置１０３は、ＣＰＵ、メモリ、およびその他の周辺回路によって構成され、データ処理装置１００の全体を制御する。なお、制御装置１０３を構成するメモリは、例えばＳＤＲＡＭ等の揮発性のメモリである。このメモリは、ＣＰＵがプログラム実行時にプログラムを展開するためのワークメモリや、データを一時的に記録するためのバッファメモリとして使用される。例えば、接続ＩＦ１０２を介して読み込まれたデータは、バッファメモリに一時的に記録される。本実施の形態では、後述するデータの記録や、データの検索のための処理は、制御装置１０３によって実行される。
【００１２】
記録装置１０４は、データ処理装置１００が蓄える種々のデータや、制御装置１０３が実行するためのプログラムのデータ等を記録するための記録装置であり、例えばＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等が用いられる。なお、記録装置１０４に記録されるプログラムのデータは、ＣＤ−ＲＯＭやＤＶＤ−ＲＯＭなどの記録媒体に記録されて提供されたり、ネットワークを介して提供され、使用者が取得したプログラムのデータを記録装置１０４にインストールすることによって、制御装置１０３がプログラムを実行できるようになる。
【００１３】
表示装置１０５は、例えば液晶モニタであって、制御装置１０３から出力される種々の表示用データが表示される。
【００１４】
本実施の形態におけるデータ処理装置１００では、制御装置１０３は、地図上に設定された所定の範囲を示す複数の領域をそれぞれ一意に特定するための領域特定情報と、該領域特定情報に関連付けられる関連情報とで構成されるデータセットを設定し、該データセットに対して、領域特定情報と関連情報との組に対応するデータを記録装置１０４に記録する。制御装置１０３は、データセットに対して記録したデータに対して、そのデータセットを構成する領域特定情報に対応する領域の面積に応じた重み付け値を設定する。重み付け値の設定方法については後述する。
【００１５】
また、制御装置１０３は、通信回線を介して接続された不図示の検索要求端末から、検索要求端末の現在位置情報と上記関連情報とを受信してデータの検索要求を受け付け、受信した現在位置情報に基づいて、検索要求端末の現在位置が属する領域の領域特定情報を特定し、特定した領域特定情報と受信した関連情報とで構成されるデータセットに対して記録されているデータを記録装置１０４から読み出して検索要求端末へ送信する。
【００１６】
このとき、制御装置１０３は、検索要求端末の現在位置が複数の領域に含まれる地点に対応するときには、その現在位置が属する複数の領域特定情報を特定することになる。この場合、制御装置１０３は、それら複数の領域特定情報のそれぞれと、検索要求端末から受信した関連情報とで構成される複数のデータセットに対してそれぞれ記録されているデータの中から、各データに対して設定されている重み値に基づいて記録装置１０４からデータを読み出す。複数のデータの中から各データに対して設定されている重み値に基づいてデータを読み出す方法についても後述する。以下、本実施の形態におけるデータ処理装置１００における処理について詳細に説明する。
【００１７】
制御装置１０３は、データ処理装置１００の使用者からの指示に基づいて、データセットを設定して記録装置１０４に記録する。データセットは、上述したように、地図上に設定された所定の範囲を示す複数の領域をそれぞれ一意に特定するための領域特定情報と、該領域特定情報に関連付けられる関連情報とで構成される。領域は、矩形や円形等、地図上の範囲を特定することができる閉じた領域が、データ処理装置１００の使用者によって任意に設定される。例えば図２は、地図上に領域２ａ、２ｂ、２ｃ、２ｄ、２ｅがそれぞれ設定された例を示している。
【００１８】
図２では、地図上の道路等を実線で表し、領域を破線で表している。なお、領域は、領域２ａのように他の領域を包含するように設定することもできるし、領域２ｂ、２ｃ、２ｄのように、地図上の範囲が一部重複するように設定することもできる。また、領域２ｅのように、他の領域と範囲が重複しないように設定することもできる。また、図２では、地図上に領域が設定されていない範囲が含まれているが、地図上の各地点がいずれかの領域に属するように、地図全体を網羅する形で複数の領域を設定するようにしてもよい。領域をどのように設定するかは、後述するデータセットの利用目的に応じて、使用者が任意に決定すればよい。
【００１９】
制御装置１０３は、設定された領域のそれぞれに対して、各領域を一意に特定するための領域特定情報を付与する。例えば、各領域に対して一意のＩＤ（以下、「領域ＩＤ」と呼ぶ）を付すようにすればよい。
【００２０】
また、使用者は、各領域と関連付ける関連情報を定義する。関連情報としてどのような情報を定義するかは、使用者がデータセットにどのようなデータを記録したいかによって異なる。例えば、使用者が検索要求端末上に表示されたＷＥＢページ上の広告スペースに広告を配信するサービスを提供する場合を想定すると、広告スペースを特定するための情報を関連情報として定義すればよい。この場合、使用者は、領域ＩＤと広告スペースを特定するための情報とで構成されるデータセットに対して、広告スペースに表示される広告データを特定するための情報を記録することができる。
【００２１】
具体的には、ｉを変数とし、領域ＩＤをｐｏｌｙｇｏｎＸｉ、広告スペースを特定するための情報をｐｕｂｌｉｓｈｅｒＹｉ、広告データを特定するための情報をｃｏｎｔｅｎｔｓＺｉとした場合に、次式（１）に示す形式でデータセットにデータを記録する。
ｐｕｂｌｉｓｈｅｒＹｉ：ｐｏｌｙｇｏｎＸｉ＝ｃｏｎｔｅｎｔｓＺｉ  ・・・（１）
【００２２】
例えば、広告スペースを特定するための情報をｐｕｂｌｉｓｈｅｒＹ１とした場合に、図２に示した各領域との組に対して、広告データを記録する場合について説明する。図２に示した領域２ａをｐｏｌｙｇｏｎＸ１、領域２ｂをｐｏｌｙｇｏｎＸ２、領域２ｃをｐｏｌｙｇｏｎＸ３、領域２ｄをｐｏｌｙｇｏｎＸ４、領域２ｅをｐｏｌｙｇｏｎＸ５とする。また、現在位置が領域２ａ内にある検索要求端末に対しては、ｃｏｎｔｅｎｔｓＺ１で表される広告データを配信し、現在位置が領域２ｂ内にある検索要求端末にある検索要求端末に対しては、ｃｏｎｔｅｎｔｓＺ２で表される広告データを配信し、現在位置が領域２ｃ内にある検索要求端末に対しては、ｃｏｎｔｅｎｔｓＺ３で表される広告データを配信する。また、現在位置が領域２ｄ内にある検索要求端末に対しては、ｃｏｎｔｅｎｔｓＺ４で表される広告データを配信し、現在位置が領域２ｅ内にある検索要求端末に対しては、ｃｏｎｔｅｎｔｓＺ５で表される広告データを配信するものとする。この場合、これらのデータセットを式（１）を用いて表した場合には、次式（２）〜（６）のようになる。
【００２３】
ｐｕｂｌｉｓｈｅｒＹ１：ｐｏｌｙｇｏｎＸ１＝ｃｏｎｔｅｎｔｓＺ１  ・・・（２）
ｐｕｂｌｉｓｈｅｒＹ１：ｐｏｌｙｇｏｎＸ２＝ｃｏｎｔｅｎｔｓＺ２  ・・・（３）
ｐｕｂｌｉｓｈｅｒＹ１：ｐｏｌｙｇｏｎＸ３＝ｃｏｎｔｅｎｔｓＺ３  ・・・（４）
ｐｕｂｌｉｓｈｅｒＹ１：ｐｏｌｙｇｏｎＸ４＝ｃｏｎｔｅｎｔｓＺ４  ・・・（５）
ｐｕｂｌｉｓｈｅｒＹ１：ｐｏｌｙｇｏｎＸ５＝ｃｏｎｔｅｎｔｓＺ５  ・・・（６）
【００２４】
このようなデータセットを定義してデータを記録することにより、使用者は、領域ＩＤにより特定される地図上の範囲と、広告スペースを特定するための情報により特定されるＷＥＢページ上の広告スペースとの組に対して、その地図上の範囲、および広告スペースと関連性が高い広告データのｃｏｎｔｅｎｔｓＺｉを記録することができる。
【００２５】
このため、後述するデータ検索処理において、検索要求端末上でＷＥＢページが閲覧された際に、検索要求端末の不図示の制御装置は、そのＷＥＢページ上に配置されている広告スペースを特定するための情報（ｐｕｂｌｉｓｈｅｒＹｉ）と、検索要求端末の現在位置情報とをデータ処理装置１００へ送信して、広告スペース上に表示する広告データの検索を要求すれば、検索要求端末の現在位置とＷＥＢページ上に配置されている広告スペースとの関連性が高い広告データを取得して、広告スペースに表示させることができる。
【００２６】
また、本実施の形態では、上述したように、制御装置１０３は、データセットに対して記録したデータに対して、そのデータセットを構成する領域特定情報に対応する領域の面積に応じた重み付け値を設定する。例えば、領域の面積を変数とした重み付け関数をあらかじめ用意しておき、制御装置１０３は、この重み付け関数を用いて算出した各領域の面積に応じた重み値をデータに対して設定する。重み付け関数としては、例えば、次式（７）のような関数が用いられる。
ｐｏｌｙｇｏｎＸｉの重み値（Ｆ＿ｐｏｌｙｇｏｎＸｉ）＝１＋ＬＯＧ（１＋ＬＯＧ（１／ｐｏｌｙｇｏｎＸｉの面積））  ・・・（７）
【００２７】
データ処理装置１００では、制御装置１０３は、検索要求端末から受信した現在位置情報に基づいて検索要求端末の現在位置が含まれる領域の領域ＩＤ（ｐｏｌｙｇｏｎＸｉ）を特定し、特定したｐｏｌｙｇｏｎＸｉと検索要求端末から受信したｐｕｂｌｉｓｈｅｒＹｉとで構成されるデータセットに記録されているｃｏｎｔｅｎｔｓＺｉを読み出す。読み出したｃｏｎｔｅｎｔｓＺｉとそれに対応する配信用の広告データとは、あらかじめ関連付けて記録装置１０４に記録されており、制御装置１０３は、読み出したｃｏｎｔｅｎｔｓＺｉに対応する配信用の広告データを記録装置から読み出して、検索要求端末へ送信する。これにより、制御装置１０３は、検索要求端末で閲覧されているＷＥＢページの内容、及びそのＷＥＢページが閲覧されている地点と関連性が高い広告データを配信することが可能となる。
【００２８】
上記の式（２）〜（６）に示すようにデータセットが記録されている場合に、検索要求端末から広告スペースを特定するための情報がｐｕｂｌｉｓｈｅｒＹ１、及び現在位置情報がｐｏｌｙｇｏｎＸ５である領域２ｅ内の位置情報を受信して検索要求を受けた場合には、制御装置１０３は、記録装置１０４から式（６）のデータセットを読み出し、該データセットに記録されているｃｏｎｔｅｎｔｓＺ５に基づいて配信用の広告データを特定し、検索要求端末へ配信する。
【００２９】
検索要求端末から広告スペースを特定するための情報がｐｕｂｌｉｓｈｅｒＹ１、及び現在位置情報がｐｏｌｙｇｏｎＸ２である領域２ｂ内であって、領域２ａ以外の他の領域には含まれない地点の位置情報を受信して検索要求を受けた場合には、制御装置１０３は、記録装置１０４から式（２）のデータセットと式（３）のデータセットとを読み出す。そして、式（２）のデータセットに記録されているｃｏｎｔｅｎｔｓＺ１と、式（３）のデータセットに記録されているｃｏｎｔｅｎｔｓＺ２とに基づいて配信用の広告データを特定する。
【００３０】
この場合、制御装置１０３は、ｃｏｎｔｅｎｔｓＺ１に対して設定されている重み値と、ｃｏｎｔｅｎｔｓＺ２に対して設定されている重み値とを比較して、重み値が大きい方のｃｏｎｔｅｎｔｓＺｉを配信用の広告データとして特定し、検索要求端末へ配信する。すなわち、制御装置１０３は、次式（８）を用いて重み値Ｆ＿ｐｏｌｙｇｏｎＸｉの最大値を算出し、算出した最大値が設定されているｃｏｎｔｅｎｔｓＺｉに基づいて配信用の広告データを特定する。なお、次式（８）においてＭａｘは最大値を求めるための関数である。
Ｆ＿ｐｏｌｙｇｏｎＸｉの最大値＝Ｍａｘ（Ｆ＿ｐｏｌｙｇｏｎＸｉ）  ・・・（８）
【００３１】
検索要求端末から広告スペースを特定するための情報がｐｕｂｌｉｓｈｅｒＹ１、及び現在位置情報がｐｏｌｙｇｏｎＸ３である領域２ｃ内であって、領域２ａ以外の他の領域には含まれない地点の位置情報を受信して検索要求を受けた場合には、制御装置１０３は、記録装置１０４から式（２）のデータセットと式（４）のデータセットとを読み出す。そして、式（２）のデータセットに記録されているｃｏｎｔｅｎｔｓＺ１と、式（４）のデータセットに記録されているｃｏｎｔｅｎｔｓＺ３とに基づいて、式（８）を用いてｃｏｎｔｅｎｔｓＺ１に対して設定されている重み値と、ｃｏｎｔｅｎｔｓＺ３に対して設定されている重み値の最大値を算出する。そして、算出した最大値が設定されているｃｏｎｔｅｎｔｓＺｉに基づいて配信用の広告データを特定し、検索要求端末へ配信する。
【００３２】
検索要求端末から広告スペースを特定するための情報がｐｕｂｌｉｓｈｅｒＹ１、及び現在位置情報がｐｏｌｙｇｏｎＸ４である領域２ｄ内であって、領域２ａ以外の他の領域には含まれない地点の位置情報を受信して検索要求を受けた場合には、制御装置１０３は、記録装置１０４から式（２）のデータセットと式（５）のデータセットを読み出す。そして、式（２）のデータセットに記録されているｃｏｎｔｅｎｔｓＺ１と、式（５）のデータセットに記録されているｃｏｎｔｅｎｔｓＺ４とに基づいて、式（８）を用いてｃｏｎｔｅｎｔｓＺ１に対して設定されている重み値と、ｃｏｎｔｅｎｔｓＺ４に対して設定されている重み値の最大値を算出する。そして、算出した最大値が設定されているｃｏｎｔｅｎｔｓＺｉに基づいて配信用の広告データを特定し、検索要求端末へ配信する。
【００３３】
検索要求端末から広告スペースを特定するための情報がｐｕｂｌｉｓｈｅｒＹ１、及び現在位置情報がｐｏｌｙｇｏｎＸ２である領域２ｂとｐｏｌｙｇｏｎＸ３である領域２ｃとが重複する範囲内の地点の位置情報を受信して検索要求を受けた場合には、制御装置１０３は、記録装置１０４から式（２）のデータセットと式（３）のデータセットと式（４）のデータセットとを読み出す。そして、式（２）のデータセットに記録されているｃｏｎｔｅｎｔｓＺ１と、式（３）のデータセットに記録されているｃｏｎｔｅｎｔｓＺ２と、式（４）のデータセットに記録されているｃｏｎｔｅｎｔｓＺ３とに基づいて、式（８）を用いてｃｏｎｔｅｎｔｓＺ１に対して設定されている重み値と、ｃｏｎｔｅｎｔｓＺ２に対して設定されている重み値と、ｃｏｎｔｅｎｔｓＺ３に対して設定されている重み値との最大値を算出する。そして、算出した最大値が設定されているｃｏｎｔｅｎｔｓＺｉに基づいて配信用の広告データを特定し、検索要求端末へ配信する。
【００３４】
検索要求端末から広告スペースを特定するための情報がｐｕｂｌｉｓｈｅｒＹ１、及び現在位置情報がｐｏｌｙｇｏｎＸ２である領域２ｂ、ｐｏｌｙｇｏｎＸ４である領域２ｄとが重複する範囲内の地点の位置情報を受信して検索要求を受けた場合には、制御装置１０３は、記録装置１０４から式（２）のデータセットと式（３）のデータセットと式（５）のデータセットとを読み出す。そして、式（２）のデータセットに記録されているｃｏｎｔｅｎｔｓＺ１と、式（３）のデータセットに記録されているｃｏｎｔｅｎｔｓＺ２と、式（５）のデータセットに記録されているｃｏｎｔｅｎｔｓＺ４とに基づいて、式（８）を用いてｃｏｎｔｅｎｔｓＺ１に対して設定されている重み値と、ｃｏｎｔｅｎｔｓＺ２に対して設定されている重み値と、ｃｏｎｔｅｎｔｓＺ４に対して設定されている重み値との最大値を算出する。そして、算出した最大値が設定されているｃｏｎｔｅｎｔｓＺｉに基づいて配信用の広告データを特定し、検索要求端末へ配信する。
【００３５】
検索要求端末から広告スペースを特定するための情報がｐｕｂｌｉｓｈｅｒＹ１、及び現在位置情報がｐｏｌｙｇｏｎＸ３である領域２ｃとｐｏｌｙｇｏｎＸ４である領域２ｄとが重複する範囲内の地点の位置情報を受信して検索要求を受けた場合には、制御装置１０３は、記録装置１０４から式（２）のデータセットと式（４）のデータセットと式（５）のデータセットとを読み出す。そして、式（２）のデータセットに記録されているｃｏｎｔｅｎｔｓＺ１と、式（４）のデータセットに記録されているｃｏｎｔｅｎｔｓＺ３と、式（５）のデータセットに記録されているｃｏｎｔｅｎｔｓＺ４とに基づいて、式（８）を用いてｃｏｎｔｅｎｔｓＺ１に対して設定されている重み値と、ｃｏｎｔｅｎｔｓＺ３に対して設定されている重み値と、ｃｏｎｔｅｎｔｓＺ４に対して設定されている重み値との最大値を算出する。そして、算出した最大値が設定されているｃｏｎｔｅｎｔｓＺｉに基づいて配信用の広告データを特定し、検索要求端末へ配信する。
【００３６】
検索要求端末から広告スペースを特定するための情報がｐｕｂｌｉｓｈｅｒＹ１、及び現在位置情報がｐｏｌｙｇｏｎＸ２である領域２ｂとｐｏｌｙｇｏｎＸ３である領域２ｃとｐｏｌｙｇｏｎＸ４である領域２ｄとが重複する範囲内の地点の位置情報を受信して検索要求を受けた場合には、制御装置１０３は、記録装置１０４から式（２）のデータセットと式（３）のデータセットと式（４）のデータセットと式（５）のデータセットとを読み出す。そして、式（２）のデータセットに記録されているｃｏｎｔｅｎｔｓＺ１と、式（３）のデータセットに記録されているｃｏｎｔｅｎｔｓＺ２と、式（４）のデータセットに記録されているｃｏｎｔｅｎｔｓＺ３と、式（５）のデータセットに記録されているｃｏｎｔｅｎｔｓＺ４とに基づいて、式（８）を用いてｃｏｎｔｅｎｔｓＺ１に対して設定されている重み値と、ｃｏｎｔｅｎｔｓＺ２に対して設定されている重み値と、ｃｏｎｔｅｎｔｓＺ３に対して設定されている重み値と、ｃｏｎｔｅｎｔｓＺ４に対して設定されている重み値との最大値を算出する。そして、算出した最大値が設定されているｃｏｎｔｅｎｔｓＺｉに基づいて配信用の広告データを特定し、検索要求端末へ配信する。
【００３７】
このように、上述したデータセットを広告配信のために用いることによって、検索要求端末のユーザに対して、該ユーザの現在位置に応じた広告データを配信することができるため、広告効果を向上させることができる。例えば、ユーザが閲覧したＷＥＢページ上に、ユーザの現在位置近くにある飲食店の広告を配信すれば、無関係な場所にある飲食店の広告を配信するよりも、ユーザが広告に興味を持つ可能性を高めることができる。
【００３８】
また、データセットには、広告スペースを特定するための情報も含めるようにしたので、ユーザが閲覧中のＷＥＢページの内容に沿った広告を配信することも可能となる。例えば、音楽に関するＷＥＢサイト上に配置された広告スペースのｐｕｂｌｉｓｈｅｒＹｉと、地図上の領域のｐｏｌｙｇｏｎＸｉとに対して、ｐｏｌｙｇｏｎＸｉにより特定される地図上の領域内、または領域近傍に存在する音楽関係施設、例えば、ライブハウスやＣＤショップの広告を記録しておく。このようにすれば、音楽に関するＷＥＢサイトを閲覧したユーザに対して、現在位置近くの音楽関係施設に関する広告を配信することができ、ユーザが広告に興味を持つ可能性をさらに高めることができる。
【００３９】
さらに、データセットに対して記録したデータに対して、そのデータセットを構成する領域特定情報に対応する領域の面積に応じた重み付け値を設定するようにしたので、検索要求があった際に、領域の面積に応じたデータの重要度を加味して、検索結果を返すことができる。例えば、式（７）に示した重み付け関数を用いて、領域の面積が小さいほど重み値が大きくなるようなアルゴリズムで重み値を算出してデータに設定するようにすれば、地図上の特定の狭い範囲に対して記録されているデータは、その地図上の範囲特有のデータである可能性が高いことを加味して、よりユーザの現在位置にマッチしたデータを配信することが可能となる。
【００４０】
図３は、本実施の形態におけるデータセット記録処理の流れを示すフローチャートである。図３に示す処理は、データ処理装置１００の使用者によって操作部材１０１が操作され、データセットの設定が行われると起動するプログラムとして、制御装置１０３によって実行される。
【００４１】
ステップＳ１０において、制御装置１０３は、使用者からの指示に基づいて上述したデータセットを設定する。その後、ステップＳ２０へ進む。
【００４２】
ステップＳ２０では、制御装置１０３は、使用者からの指示に基づいて、ステップＳ１０で設定したデータセットに対してデータを記録するとともに、データを記録したデータセットを記録装置１０４に記録する。
【００４３】
その後、ステップＳ３０へ進み、制御装置１０３は、式（７）に示した重み付け関数を用いて、領域に応じた重み値を算出する。その後、ステップＳ４０へ進む。
【００４４】
ステップＳ４０では、制御装置１０３は、ステップＳ２０で記録したデータに、ステップＳ３０で算出した重み値を関連付けて記録する。その後、処理を終了する。
【００４５】
図４は、本実施の形態におけるデータ検索処理の流れを示すフローチャートである。図４に示す処理は、データ検索処理の一例として、上述したように、検索要求端末に対して広告配信を行うためのデータ検索処理の流れを示している。この図４に示す処理は、検索要求端末から、上述した検索要求端末から、現在位置情報と検索要求端末上に表示されたＷＥＢページ上の広告スペースを特定するための情報（ｐｕｂｌｉｓｈｅｒＹｉ）とを指定した検索要求を受信すると起動するプログラムとして、制御装置１０３によって実行される。
【００４６】
ステップＳ１１０において、制御装置１０３は、検索要求端末から受信した現在位置情報に基づいて検索要求端末の現在位置が含まれる領域の領域ＩＤ（ｐｏｌｙｇｏｎＸｉ）を特定する。その後、ステップＳ１２０へ進む。
【００４７】
ステップＳ１２０では、制御装置１０３は、特定したｐｏｌｙｇｏｎＸｉと検索要求端末から受信したｐｕｂｌｉｓｈｅｒＹｉとで構成されるデータセットを特定し、記録装置１０４から読み出す。その後、ステップＳ１３０へ進む。
【００４８】
ステップＳ１３０では、制御装置１０３は、ステップＳ１３０で読み出したデータセットに記録されているデータ（ｃｏｎｔｅｎｔｓＺｉ）を読み出し、読み出したデータに対応する広告データを配信用広告データとして特定する。このとき、ステップＳ１１０で複数のｐｏｌｙｇｏｎＸｉが特定され、ステップＳ１２０で複数のデータセットが特定された場合には、上述したように、式（８）を用いて、データに関連付けて設定されている重み値が最大となるデータに基づいて配信用広告データを特定する。その後、ステップＳ１４０へ進む。
【００４９】
ステップＳ１４０では、制御装置１０３は、特定した配信用広告データを記録装置１０４から読み出して、検索要求元の検索要求端末へ送信する。その後、処理を終了する。
【００５０】
以上説明した実施の形態によれば、以下のような作用効果を得ることができる。
（１）制御装置１０３は、地図上に設定された所定の範囲を示す複数の領域をそれぞれ一意に特定するための領域特定情報と、領域特定情報に関連付けられる関連情報とで構成されるデータセットを設定し、設定したデータセットに対して、領域特定情報と関連情報との組に対応するデータを記録し、記録したデータに対して、領域の面積に応じた重み値を設定するようにした。これによって、使用者は、地図上に任意の領域を設定し、該領域と関連情報とで構成されるデータセットに対して、データを記録することが可能となる。また、検索要求端末からの要求に基づいてデータ検索を行う場合、検索要求端末から受信した領域特定情報と関連情報とが一致するデータセットに記録されているデータを読み出せばよいため、データの検索を高速に行うことができる。さらに記録したデータに対して、そのデータセットを構成する領域特定情報に対応する領域の面積に応じた重み付け値を設定するようにしたので、検索要求があった際に、領域の面積に応じたデータの重要度を加味した検索結果を返すことができる。
【００５１】
（２）制御装置１０３は、式（７）に示した領域の面積を変数とした重み付け関数を用いて重み値を算出するようにした。これによって、あらかじめ設定された所定のアルゴリズムで重み値を算出することが可能となる。また、重み値の算出アルゴリズムは、関数を入れ替えることによって容易に変更することができる。
【００５２】
（３）領域は、図２に示した領域２ａのように、他の領域を包含するように設定することもできるし、領域２ｂ、２ｃ、２ｄのように、地図上の範囲が一部重複するように設定することもできるし、領域２ｅのように、他の領域とは範囲が重複しないように設定することもできるようにした。これによって、使用者は、地図上の任意の範囲に領域を設定することができる。
【００５３】
（４）制御装置１０３は、検索要求端末から、検索要求端末の現在位置情報と関連情報とを受信してデータの検索要求を受け付け、受信した現在位置情報に基づいて、検索要求端末の現在位置が属する領域の領域特定情報を特定し、特定した領域特定情報と、受信した関連情報とで構成されるデータセットに対して記録されているデータを記録装置１０４から読み出し、読み出したデータを検索要求端末へ送信するようにした。これによって、検索要求端末の現在位置に応じたデータを送信することが可能となる。
【００５４】
―変形例―
なお、上述した実施の形態のデータ処理装置は、以下のように変形することもできる。
（１）上述した実施の形態では、制御装置１０３は、地図上に設定された所定の範囲を示す複数の領域をそれぞれ一意に特定するための領域特定情報と、該領域特定情報に関連付けられる関連情報とで構成されるデータセットを設定する例について説明した。しかしながら、制御装置１０３は、領域特定情報と複数の関連情報とを関連付けてデータセットを設定するようにしてもよい。例えば、上述した広告を例に挙げると、関連情報として、広告スペースを特定するための情報ｐｕｂｌｉｓｈｅｒＹａｉと、広告スペースに配信する広告データのデータフォーマットｆｏｒｍａｔＹｂｉとを関連情報として記録するようにしてもよい。広告データのデータフォーマットｆｏｒｍａｔＹｂｉとしては、バナー広告や動画広告等、広告スペースに表示させる広告データのデータ形式が格納される。この場合、上述した式（１）は、次式（９）のようになる。
ｐｕｂｌｉｓｈｅｒＹａｉ：ｆｏｒｍａｔＹｂｉ：ｐｏｌｙｇｏｎＸｉ＝ｃｏｎｔｅｎｔｓＺｉ  ・・・（９）
【００５５】
制御装置１０３は、検索要求端末から現在位置情報とともに、広告スペースを特定するための情報（ｐｕｂｌｉｓｈｅｒＹａｉ）とその広告スペースに配信可能なデータ形式を特定するための情報（ｆｏｒｍａｔＹｂｉ）とを受信して検索要求を受けた場合には、受信した情報に応じたデータセットを読み出して、配信する広告データを決定することができる。
【００５６】
これにより、領域特定情報に対して複数の関連情報を関連付けたデータセットに対してデータを記録することが可能になるため、検索要求端末の現在位置に応じてデータを記録するに当たり、複数の関連情報に基づく詳細なデータの記録が可能となる。
【００５７】
（２）上述した実施の形態では、制御装置１０３は、領域特定情報と、該領域特定情報に関連付けられる関連情報とで構成されるデータセットを設定する例について説明した。そして、関連情報としてどのような情報を定義するかは、使用者がデータセットにどのようなデータを記録したいかによって異なるものとし、一例として、使用者が検索要求端末上に表示されたＷＥＢページ上の広告スペースに広告を配信するサービスを提供する場合には、広告スペースを特定するための情報を関連情報として定義するものとした。関連情報の他の定義例としては、次のようなものも考えられる。
【００５８】
例えば、関連情報として、データセットに記録されるデータにアクセスするユーザの属性を表すユーザプロファイル情報や、データセットに記録されるデータへのアクセスを許可するユーザを特定するためのユーザ情報を記録することもできる。ユーザプロファイル情報を関連情報とし、ユーザプロファイルをユーザの性別とした場合、領域特定情報とユーザの性別とを関連付けたデータセットとして、領域内にいる男性に向けて送信するデータと、領域内にいる女性向けに送信するデータとをそれぞれ異なるデータセットに記録することができる。また、ユーザプロファイルをユーザの好みの音楽ジャンルや映画ジャンルとした場合、領域特定情報とユーザの好みの音楽ジャンルや映画ジャンルとを関連付けたデータセットには、特定の音楽ジャンルを好むユーザや特定の映画ジャンルを好むユーザに向けたデータを、そのユーザが位置している領域ごとに変えて記録しておくことができる。
【００５９】
また、性別、年齢、好みの音楽ジャンルのように、複数の情報をユーザプロファイルとして用いてもよい。例えば、男性、２０才、好みの音楽ジャンルは洋楽のように、性別、年齢、及び好みの音楽ジャンルを組み合わせたユーザプロファイルに対して、そのユーザプロファイルに応じたデータを記録したデータセットを設定すれば、性別、年齢、及び好みの音楽ジャンルごとに、そのユーザが興味を持つ可能性が高い最適なデータを提供することが可能となる。また、年齢は、２０才、２１才のように各年齢ごとに分けてもよいし、２０代、３０代、４０代や、２０才から２５才、２６歳から２９才、３０才から３５才のように、所定範囲の年齢をグループ化して分類してもよい。
【００６０】
また、ユーザ情報を関連情報とした場合、領域特定情報とユーザ情報とを関連付けたデータセットには、各ユーザごとに配信するデータを、そのユーザが位置している領域ごとに記録しておくことができる。また、検索要求端末を一意に特定するための端末情報を関連情報として定義してもよい。この場合は、検索要求端末ごとにデータを記録することが可能となる。
【００６１】
（３）上述した実施の形態では、データを記録したデータセットは、記録装置１０４に記録されており、制御装置１０３は、検索要求端末からのデータ検索要求に基づいて、検索条件にマッチするデータセットを記録装置１０４から読み出す例について説明した。しかしながら、制御装置１０３は、記録装置１０４からＲＡＭにデータセットを読み出しておき、検索要求端末からのデータ検索要求に基づいて、検索条件にマッチするデータセットをＲＡＭから読み出すようにしてもよい。これによって、データの検索速度を高速化させることができる。
【００６２】
（４）上述した実施の形態では、データ処理装置１００としては、例えば、パーソナルコンピュータ（パソコン）やサーバー等の装置を用いる例について説明した。しかしながら、データを記録するための記録装置や、処理を実行するための制御装置を備える装置や機器であれば、パソコンやサーバーには限定されない。例えば、ＰＤＡやスマートフォン等の携帯端末をデータ処理装置１００として用いることもできる。
【００６３】
（５）上述した実施の形態では、重み付け関数は、式（７）に示す関数である例について説明した。しかしながら、式（７）に示した関数は重み付け関数の一例であり、これ以外の関数を用いてもよい。なお、どのような重み付け関数を設定するかは、データセットの利用目的に応じて、使用者が任意に決定すればよい。例えば、図５（ａ）に示すように、式（７）に示した重み付け関数を用いても良いし、図５（ｂ）に示すように、所定の面積Ｘｊ以上の領域に対しては、常に重み値が一定値、例えば１となるような重み付け関数５ｂを設定してもよい。
【００６４】
（６）上述した実施の形態では、制御装置１０３は、データセットに対して記録したデータに対して、式（７）に示した重み付け関数を用いて、そのデータセットを構成する領域特定情報に対応する領域の面積に応じた重み付け値を設定する例について説明した。このとき、地図上に設定された異なる領域に対して設定されたデータセットに対して、同じデータが記録されている場合には、それらのデータセットに対応する領域の面積を合計してから式（７）に示した重み付け関数を用いて重み値を算出し、算出した重み値を、上記異なる領域に対して設定されたそれぞれのデータセットに対して記録したデータに設定するようにしてもよい。
【００６５】
例えば、図２に示した領域２ｂと領域２ｅに対応して、次式（１０）、（１１）に示すように、いずれもｃｏｎｔｅｎｔｓＺ６が記録されている場合を例に説明する。
ｐｕｂｌｉｓｈｅｒＹ１：ｐｏｌｙｇｏｎＸ２＝ｃｏｎｔｅｎｔｓＺ６  ・・・（１０）
ｐｕｂｌｉｓｈｅｒＹ１：ｐｏｌｙｇｏｎＸ５＝ｃｏｎｔｅｎｔｓＺ６  ・・・（１１）
【００６６】
この場合、制御装置１０３は、ｃｏｎｔｅｎｔｓＺ６に対する重み値を算出するに当たり、領域２ｂと領域２ｅの面積を合計する。そして、合計した面積に基づいて、式（７）に示した重み付け関数を用いて、ｃｏｎｔｅｎｔｓＺ６に対する重み値を算出して、式（１０）、（１１）に示したデータセットに記録されているデータ（ｃｏｎｔｅｎｔｓＺ６）に対して重み値を設定すればよい。
【００６７】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【００６８】
１００  データ処理装置、１０１  操作部材、１０２  接続ＩＦ、１０３  制御装置、１０４  記録装置、１０５  表示装置
【要約】
【課題】データの記録方法を提供すること。
【解決手段】データ処理装置１００は、地図上に設定された所定の範囲を示す複数の領域をそれぞれ一意に特定するための領域特定情報と、領域特定情報に関連付けられる関連情報とで構成されるデータセットを設定するデータセット設定手段と、データセット設定手段によって設定されたデータセットに対して、領域特定情報と関連情報との組に対応する複数のデータを記録装置に記録するデータ記録手段と、データ記録手段によって記録された複数のデータのそれぞれに対して、領域の面積に応じた重み値を設定する重み値設定手段とを備える。
【選択図】図１【図１】
0005506969.tif 000002
【図２】
0005506969.tif 000003
【図３】
0005506969.tif 000004
【図４】
0005506969.tif 000005
【図５】
0005506969.tif 000006